(57)【要約】      （修正有）【課題】ボールマーカーを安定して保持できるとともに、携帯性にも優れた帽子を提供する。【解決手段】扁平細長状をなし、ひさし部２またはクラウン部３の外周縁７に沿って延在して設けられるとともに、ひさし部２またはクラウン部３に一体に固着されたマーカー保持部２０を備えた帽子１であって、マーカー保持部２０が、透磁性の吸着面が表面全体に形成された保持板２１と、保持板２１に内設された磁性体２５または磁石と、からなり、マーカー保持部２０の吸着面２２における任意の位置に、ボールマーカー３０を着脱自在に磁着保持せしめて構成した。【選択図】図３
0003143675.tif 000002
【実用新案登録請求の範囲】
【請求項１】
扁平細長状をなし、ひさし部またはクラウン部の外周縁に沿って延在して設けられるとともに、ひさし部またはクラウン部に一体に固着されたマーカー保持部を備えた帽子であって、
該マーカー保持部が、透磁性の吸着面が表面全体に形成された保持板と、該保持板に内設された磁性体または磁石と、からなり、
該マーカー保持部の該吸着面における任意の位置に、ボールマーカーを着脱自在に磁着保持せしめた帽子。
【請求項２】
該保持板に磁性体が内設されるとともに、
磁石が埋設されたボールマーカーを磁着保持せしめた請求項１に記載の帽子。
【請求項３】
該保持板が、防湿性を有する合成樹脂製である請求項２に記載の帽子。
【請求項４】
該マーカー保持部の該吸着面の外周に、縫着糸用の凹溝が周設されて、該マーカー保持部が、ひさし部またはクラウン部に縫着されるとともに、
該凹溝の内側に、該磁性体が嵌設された請求項３に記載の帽子。
【請求項５】
該マーカー保持部が、ひさし部の側端縁近傍の平坦面部分に沿って配設された請求項４に記載の帽子。
【考案の詳細な説明】
【技術分野】
【０００１】
本考案は、主としてゴルフをプレーする際に着用される帽子に関する。
【背景技術】
【０００２】
従来、ゴルフのプレーに際して、グリーン面上でボールの位置をマークするために、ボールマーカーが用いられている。ボールマーカーは、プレー中、頻繁に使用される一方で、紛失し易いため、例えばプレーヤーの帽子に着脱自在に保持しておくことができれば便利である。
このような保持具として、帽子のひさし部に挟着できるクリップと、クリップ上に固着された小型の吸着板とから構成され、この吸着板にボールマーカーを磁着保持せしめたクリップ式マーカーホルダーが知られている（例えば、特許文献１）。
【０００３】
【特許文献１】実用新案登録第３１２１１８１号公報
【考案の開示】
【考案が解決しようとする課題】
【０００４】
しかしながら、従来のクリップ式マーカーホルダーによれば、吸着板の磁着面積が小さいため、ボールマーカーが少しでもずれたり吸着位置が悪いと、吸着板から外れて落下し易いという問題があった。
また、磁着面積を大きくするために吸着板を大型化しようとすると、重厚化する上に、クリップ自体が帽子から外れ易くなってしまい、携帯性の点からも好ましくなかった。
【０００５】
そこで、本考案は上記問題に鑑みてなされたものであり、ボールマーカーを安定して保持できるとともに、携帯性にも優れた帽子を提供することを目的とするものである。
【課題を解決するための手段】
【０００６】
上記の課題を解決するために、請求項１に記載の帽子は、扁平細長状をなし、ひさし部またはクラウン部の外周縁に沿って延在して設けられるとともに、ひさし部またはクラウン部に一体に固着されたマーカー保持部を備えた帽子であって、該マーカー保持部が、透磁性の吸着面が表面全体に形成された保持板と、該保持板に内設された磁性体または磁石と、からなり、該マーカー保持部の該吸着面における任意の位置に、ボールマーカーを着脱自在に磁着保持せしめたことを要旨とする。
【０００７】
また、請求項２に記載の帽子は、請求項１に記載の構成において、該保持板に磁性体が内設されるとともに、磁石が埋設されたボールマーカーを磁着保持せしめたことを要旨とする。
【０００８】
また、請求項３に記載の帽子は、請求項２に記載の構成において、該保持板が、防湿性を有する合成樹脂製であることを要旨とする。
【０００９】
また、請求項４に記載の帽子は、請求項３に記載の構成において、該マーカー保持部の該吸着面の外周に、縫着糸用の凹溝が周設されて、該マーカー保持部が、ひさし部またはクラウン部に縫着されるとともに、該凹溝の内側に、該磁性体が嵌設されたことを要旨とする。
【００１０】
また、請求項５に記載の帽子は、請求項４に記載の構成において、該マーカー保持部が、ひさし部の側端縁近傍の平坦面部分に沿って配設されたことを要旨とする。
【考案の効果】
【００１１】
本考案によれば、扁平細長状をなし、ひさし部またはクラウン部の外周縁に沿って所定長さ延在して設けられるとともに、ひさし部またはクラウン部に一体に固着されたマーカー保持部を備えた帽子であって、該マーカー保持部が、透磁性の吸着面が表面全体に形成された保持板と、該保持板に内設された磁性体または磁石と、からなり、該マーカー保持部の該吸着面における任意の位置に、ボールマーカーを着脱自在に磁着保持せしめた帽子であるため、ボールマーカーを安定して保持できるとともに、携帯性にも優れた帽子を提供することが可能となる。
【考案を実施するための最良の形態】
【００１２】
以下、本考案の実施形態を、図面を参照しながら説明する。
【実施例１】
【００１３】
図１〜図３は本考案の第一実施形態に係る帽子１を示す図であり、図１は帽子１を示す全体斜視図、図２（ａ）は図１におけるＡ−Ａ線断面図、図２（ｂ）は図１におけるＢ−Ｂ線断面図、図３（ａ）（ｂ）は帽子１の使用状況を示す斜視図である。
【００１４】
図１に示すように、帽子１は、円弧鍔状のひさし部２が、半球状のクラウン部３に接続線４を介して接続された構成をなし、例えば布地素材もしくは合成樹脂素材等によって形成されている。ひさし部２の表面６には、その外周縁７の一部分に沿って、所定のマーカー保持部２０が延在するように設けられている。
【００１５】
マーカー保持部２０は、接着ないし縫着等の固着手段を用いて、ひさし部２に一体に固着されており、右側端縁１０近傍の平坦面部分１１に沿った扁平細長状を呈している。
図２に示すように、マーカー保持部２０は、透磁性の吸着面２２がその表面全体に形成された保持板２１と、保持板２１よりもわずかに小さい略相似形をなして保持板２１に内設された磁性体２５とからなる断面構造を有するもので、全体の厚みが２ｍｍ〜３ｍｍ程度のごく薄い平板状に構成されている。
【００１６】
マーカー保持部２０の保持板２１には、透磁性の素材（例えば布地素材）を幅広く用いることができるが、降雨時等の使用に際し、雨水や湿気による磁性体２５からの錆の発生を抑制し得る等の観点から、防湿性を有する合成樹脂製とすることが好ましい。合成樹脂としては、例えばポリ塩化ビニル（ＰＶＣ）、ポリウレタン（ＰＵ）、シリコン、ポリスチレン（ＰＳ）等を用いることができる。中でもポリ塩化ビニル（ＰＶＣ）は、曲面等の加工が容易である上、耐久性やコスト等の面で有利であり、保持板２１に好適な素材である。
【００１７】
上記の如く構成される帽子１の使用態様の一例について説明すると、図３（ａ）（ｂ）に示すように、底面部３１に磁石３２が埋設されたボールマーカー３０を、この磁石３２とマーカー保持部２０に内設した磁性体２５との間に作用する磁力によって、吸着面２２における任意の位置に上面部３３を伏臥させ磁着保持させて用いられる。
ボールマーカー３０をマーカー保持部２０から取り外したい場合には、上記磁力に抗する外力をボールマーカー３０に加えて引き離してやれば、簡単に取り外すことができる。
【００１８】
ボールマーカー３０の磁石３２としては、より具体的には永久磁石が用いられるが、例えばアルニコ磁石、フェライト磁石、希土類磁石等が用いられ、特にフェライト磁石が好ましい。これに対して、マーカー保持部２０の磁性体２５としては、より具体的には強磁性体が用いられるが、例えば純鉄・軟鋼、ケイ素鉄、Fe-Ni合金、Fe-Co合金、Fe-Cr合金、フェライト、センダスト等が用いられ、特に純鉄・軟鋼が好ましい。
【００１９】
本実施形態では、ボールマーカー３０として、円盤状のマーカー本体３５の側面に、グリーン芝の凹みを修復するための二股のフォーク部３６が付設された構成のものを採用しているが、マーカー保持部２０によれば、このようなボールマーカー３０であっても、図３（ｂ）に示すように、フォーク部３６が吸着面２２から突出してプレーの邪魔になるおそれもない。ただし、ボールマーカー３０の形態が、上記のものに限定されないことは言うまでもない。
【００２０】
マーカー保持部２０の吸着面２２は、ボールマーカー３０を磁着保持するのに十分な大きさを有するものであることが好ましく、マーカー本体３５の直径（通常１５ｍｍ〜３５ｍｍ、より好ましくは２０ｍｍ〜３０ｍｍ）の約３倍以上の長さで、かつマーカー本体３５の約２．５倍以上の面積となるように設定するのがよい。
吸着面２２には、メーカーやスポンサーの広告ロゴや、ゴルフ場、トーナメント、大会名等を表示した装飾模様を施すこともできる。
【００２１】
なお、マーカー保持部２０の保持板２１に薄板状の磁石を内設し、ボールマーカー３０を磁性体製等とすることにより、吸着面２２にボールマーカー３０を磁着保持させるようにしてもよい。しかし、上記のように保持板２１に磁性体２５を内設する構成であれば、磁石を内設する場合に比べて、磁石の大型化に伴うコストの削減や微妙な湾曲等の加工性の点で優れており、より好ましいものとなる。
【００２２】
上記した帽子１によれば、マーカー保持部２０の吸着面２２を大きく確保できるため、ボールマーカー３０を磁着保持させ易く、吸着面２２から外れて落下するおそれも低くなる。しかもマーカー保持部２０が、ひさし部２の外周縁７に沿って細長状に延在して設けられているため、ボールマーカー３０の着脱操作を容易に行うことができる。
また、マーカー保持部２０は、ごく薄い扁平状をなし、ひさし部２に一体に固着されていることから、携帯性がきわめて良好であるとともに、従来にない斬新なデザインのものを提供することが可能となる。
【００２３】
図４（ａ）〜（ｄ）に、上記実施形態の変形例に係る帽子１ａ、１ｂ、１ｃ、１ｄを示す。この変形例は、マーカー保持部２０ａ、２０ｂ、２０ｃ、２０ｄを、ひさし部２の左右側端縁１０、１３ないし前端縁１５に沿って、それぞれ適宜の形状で配設したものである。
このように、本考案のマーカー保持部は、ひさし部２の外周縁７に沿って延在して設けられるさまざまな配設態様とすることが可能である。
【００２４】
なお、ひさし部２は、通常その中央部分が山形に湾曲され、左右側端縁１０、１３近傍に平坦面部分１１、１４がそれぞれ形成されている。よって、上記マーカー保持部２０や２０ａのような配設態様（図１および図４（ａ）参照）とすれば、マーカー保持部の加工成形が容易となり、ボールマーカー３０をより安定して載置することもできるようになる。
【実施例２】
【００２５】
図５は第二実施形態に係る帽子を示す要部断面図である。
【００２６】
帽子１’は、ひさし部２の表面６に固着されたマーカー保持部２０’を備えたものであるが、本実施形態のマーカー保持部２０’では、図５に示すように、保持板２１’の吸着面２２’の外周に凹溝４０が周設された構成となっている。凹溝４０には縫着糸４１が配設され、これによって、保持板２１’がひさし部２の表面６上の所定位置に縫着されるとともに、凹溝４０の内側に、ちょうど磁性体２５’が嵌設されるようになっている。
【００２７】
このような帽子１’によれば、縫着糸４１が凹溝４０内に収容され、保持板２１’の吸着面２２’上に突起しないことから、ボールマーカーと縫着糸４１との引っ掛かりが防止され、スムーズな着脱を行うことが可能となる。また、凹溝４０によって、縫着作業を容易に行えるようになる上、縫着の品質も一定化し得る。
【実施例３】
【００２８】
図６は第三実施形態に係る帽子１”を示す側面図である。上記実施形態と共通する構成については、同一の符号を付してその説明を省略している。
【００２９】
図６に示すように、帽子１”では、クラウン部３の表面４５（右側面）に、その外周縁４６に沿って、扁平細長状のマーカー保持部２０”が延在するように設けられている。マーカー保持部２０”の保持板２１”には、上記同様、磁性体２５”が内設されている。
【００３０】
このように、本考案のマーカー保持部は、ひさし部２のみならず、クラウン部３の外周縁４６に沿って設けるようにしてもよい。
【００３１】
以上の実施形態の記述は、本考案をこれに限定するものではなく、本考案の要旨を逸脱しない範囲で種々の設計変更等が可能である。
本考案の帽子は、上記実施形態のものの他にも、例えばサンバイザー、ハンチングキャップ、パナマ帽、ウエスタン等ひさし部やクラウン部を有する各種形態の帽子に適用できる。
【産業上の利用可能性】
【００３２】
本考案は、ボールマーカーを安定して保持できるとともに、携帯性にも優れた帽子を提供するものであり、産業上の利用可能性を有する。
【図面の簡単な説明】
【００３３】
【図１】第一実施形態に係る帽子を示す全体斜視図である。
【図２】（ａ）図１におけるＡ−Ａ線断面図、（ｂ）図１におけるＢ−Ｂ線断面図である。
【図３】（ａ）〜（ｂ）第一実施形態に係る帽子の使用状況を示す斜視図である。
【図４】（ａ）〜（ｄ）変形例に係る帽子を示す平面図である。
【図５】第二実施形態に係る帽子を示す要部断面図である。
【図６】第三実施形態に係る帽子を示す側面図である。
【符号の説明】
【００３４】
１  帽子
２  ひさし部
３  クラウン部
７  外周縁
１０  右側端縁
１１  平坦面部分
１３  左側端縁
１４  平坦面部分
２０  マーカー保持部
２１  保持板
２２  吸着面
２５  磁性体
３０  ボールマーカー
３２  磁石
４０  凹溝
４１  縫着糸
４６  外周縁
【図１】
0003143675.tif 000003
【図２】
0003143675.tif 000004
【図３】
0003143675.tif 000005
【図４】
0003143675.tif 000006
【図５】
0003143675.tif 000007
【図６】
0003143675.tif 000008